(57)【要約】【課題】付属物品を収納室内に確実に保持することが出来る梱包用内箱を提供する。【解決手段】本発明に係る梱包用内箱２は、底壁21と複数の側壁22〜25とを有し、複数の側壁の内側に主物品収納室20が形成されると共に、１つの側壁23の外面に付属物品収納室３が凹設されている。該１つの側壁23は、底壁21の外縁から立ち上がる第１板部と、第１板部の上端縁から主物品収納室側へ折れ曲がる第２板部と、第２板部の主物品収納室側の端縁から底壁側へ垂れ下がる第３板部とを具えている。付属物品収納室３は、第１板部と第２板部を形成すべき板材部分に切り込みを入れて該板材部分の一部を主物品収納室側へ折り込むことによって形成される底壁31、背壁32、及び一対の側壁片35、36により包囲されると共に、第１板部と第２板部に開口し、一対の側壁片35、36はそれぞれ、第１板部の開口縁から付属物品収納室側へ突出している。【選択図】図１
2014019498.tif 000002
【特許請求の範囲】
【請求項１】
１枚の板材を折り曲げて構成され、外箱の内部に設置された状態で主物品の収容室と付属物品の収容室を形成する梱包用内箱において、
底壁と、該底壁の外縁から立ち上がる複数の側壁とを有し、該複数の側壁の内側に主物品収納室が形成されると共に、該複数の側壁の内、少なくとも１つの側壁の外面に、外箱の内面によって覆われるべき付属物品収納室が凹設され、
前記少なくとも１つの側壁は、前記板材の一部を折り曲げて構成され、前記底壁の外縁から立ち上がる第１板部と、該第１板部の上端縁から主物品収納室側へ折れ曲がる第２板部と、該第２板部の主物品収納室側の端縁から底壁側へ垂れ下がる第３板部とを具え、
前記付属物品収納室は、前記第１板部と第２板部を形成すべき板材部分に切り込みを入れて該板材部分の一部を主物品収納室側へ折り込むことによって形成される底壁、背壁、及び一対の側壁片により包囲されると共に、前記第１板部と第２板部に開口し、
前記一対の側壁片はそれぞれ、前記第１板部の側方の開口縁から付属物品収納室側へ突出して第３板部側へ折り曲げられていることを特徴とする梱包用内箱。
【請求項２】
前記第２板部の側方の開口縁から付属物品収納室側へ突出して、前記一対の側壁片の内側へ折り曲げられた一対の舌片を具えている請求項１に記載の梱包用内箱。
【請求項３】
前記少なくとも１つの側壁を構成する第３板部は、該側壁に隣接する他の側壁と連結されている請求項１又は請求項２に記載の梱包用内箱。
【発明の詳細な説明】
【技術分野】
【０００１】
本発明は、外箱の内部に設置されて主物品の収容室と付属物品の収容室を形成する梱包用内箱に関するものである。
【背景技術】
【０００２】
従来、この種の梱包用内箱は段ボール紙等の紙製の板材を折り曲げて形成され、外箱の内部に設置されて、各種物品の梱包箱を構成する(特許文献１、２)。
【０００３】
例えば図４に示される内箱(５)は、段ボール紙製の外箱(１)の内部に設置されて、例えばカメラ本体等の主物品の収納室(50)と、電池パック(例えば単三電池４個のパック)等の付属物品の収納室(６)とを形成するものである。
【０００４】
該内箱(５)は、底壁(51)と、該底壁(51)の４つの外縁から立ち上がる第１側壁(52)、第２側壁(53)、第３側壁(54)及び第４側壁(55)を具え、これらの側壁(52)〜(55)は隣接するどうしが互いに連結されている。
そして、これらの側壁(52)〜(55)の内側に主物品収納室(50)が形成されると共に、第２側壁(53)の外面には、外箱(１)の内面によって覆われるべき付属物品収納室(６)が凹設されている。
【０００５】
該内箱(５)は、図５に示す段ボール紙製の板材を折り曲げて形成される。尚、図５において実線は切断線を示し、破線は折り曲げ線を示している。
該板材は略十字状を呈し、前記底壁(51)となる矩形板材部分(510)の４つの外縁に、前記第１側壁(52)となる第１板材部分(520)と、前記第２側壁(53)となる第２板材部分(530)と、前記第３側壁(54)となる第３板材部分(540)と、前記第４側壁(55)となる第４板材部分(550)とを突設したものである。
【０００６】
第１板材部分(520)は、第１板部(52a)、第２板部(52b)及び第３板部(52c)から構成され、図４に示す折り曲げ状態で、第１板部(52a)は、矩形板材部分(510)の１つの外縁から垂直方向に立ち上がり、第２板部(52b)は、第１板部(52a)の上端縁から主物品収納室(50)側へ水平方向に折れ曲がり、第３板部(52c)は、第２板部(52b)の主物品収納室(50)側の端縁から底壁(51)側へ垂直方向に垂れ下がり、該第３板部(52c)は、第３側壁(54)及び第４側壁(55)と連結される。
【０００７】
第２板材部分(530)は、第１板部(53a)、第２板部(53b)及び第３板部(53c)から構成され、図４に示す折り曲げ状態で、第１板部(53a)は、矩形板材部分(510)の１つの外縁から垂直方向に立ち上がり、第２板部(53b)は、第１板部(53a)の上端縁から主物品収納室(50)側へ水平方向に折れ曲がり、第３板部(53c)は、第２板部(53b)の主物品収納室(50)側の端縁から底壁(51)側へ垂直方向に垂れ下がり、該第３板部(53c)は、第３側壁(54)及び第４側壁(55)と連結される。
【０００８】
第３板材部分(540)は、第１板部(54a)及び第２板部(54b)から構成され、図４に示す折り曲げ状態で、第１板部(54a)は、矩形板材部分(510)の１つの外縁から垂直方向に立ち上がり、第２板部(54b)は、第１板部(54a)の上端縁にて外側へ折り返されて垂直方向に垂れ下がり、両板部(54a)(54b)は、第１側壁(52)及び第２側壁(53)と連結される。
【０００９】
第４板材部分(550)は、第１板部(55a)及び第２板部(55b)から構成され、図４に示す折り曲げ状態で、第１板部(55a)は、矩形板材部分(510)の１つの外縁から垂直方向に立ち上がり、第２板部(55b)は、第１板部(55a)の上端縁にて外側へ折り返されて垂直方向に垂れ下がり、両板部(55a)(55b)は、第１側壁(52)及び第２側壁(53)と連結される。
【００１０】
又、第２側壁(53)を形成すべき第２板材部分(530)には図５に実線で示す切り込み(Ｉ，Ｊ)が施されると共に、破線で示す折り曲げ線(Ｋ，Ｌ，Ｍ)が施されており、図４に示す折り曲げ状態で、第１板部(53a)及び第２板部(53b)の一部を主物品収納室(50)側へ折り込むことによって、付属物品収納室(６)の底壁(61)と背壁(62)とが形成されると共に、左右一対の舌片(63)(64)が形成される。
【００１１】
付属物品収納室(６)は、第１板部(53a)と第２板部(53b)に開口しているが、内箱(５)を外箱(１)の内部に設置することにより、これらの開口は外箱(１)の内面によって塞がれることになる。
【先行技術文献】
【特許文献】
【００１２】
【特許文献１】特開２０００−２５５５５９号公報
【特許文献２】特開２００２−１０４５２７号公報
【発明の概要】
【発明が解決しようとする課題】
【００１３】
しかしながら、図４に示す内箱(５)においては、付属物品収納室(６)の両側に開口(65)(66)が形成されることになるため、付属物品収納室(６)に電池パックを収納した状態で、該電池パックが何れか一方の開口へはまり込む虞があった。
【００１４】
そこで本発明の目的は、付属物品収納室に収容されている付属物品を付属物品収納室内に確実に保持することが出来る梱包用内箱を提供することである。
【課題を解決するための手段】
【００１５】
本発明に係る梱包用内箱(２)は、１枚の板材を折り曲げて構成され、外箱(１)の内部に設置された状態で主物品の収納室(20)と付属物品の収納室(３)を形成するものであって、
底壁(21)と、該底壁(21)の外縁から立ち上がる複数の側壁(22)(23)(24)(25)とを有し、該複数の側壁の内側に主物品収納室(20)が形成されると共に、該複数の側壁の内、少なくとも１つの側壁(23)の外面に、外箱(１)の内面によって覆われるべき付属物品収納室(３)が凹設されている。
【００１６】
前記少なくとも１つの側壁(23)は、前記板材の一部を折り曲げて構成され、前記底壁(21)の外縁から立ち上がる第１板部(23a)と、該第１板部の上端縁から主物品収納室側へ折れ曲がる第２板部(23b)と、該第２板部の主物品収納室側の端縁から底壁側へ垂れ下がる第３板部(23c)とを具えている。
【００１７】
前記付属物品収納室(３)は、前記第１板部(23a)と第２板部(23b)を形成すべき板材部分(230)に切り込みを入れて該板材部分の一部を主物品収納室側へ折り込むことによって形成される底壁(31)、背壁(32)、及び一対の側壁片(35)(36)により包囲されると共に、前記第１板部(23a)と第２板部(23b)に開口し、
前記左右一対の側壁片(35)(36)はそれぞれ、前記第１板部(23a)の側方の開口縁から付属物品収納室側へ突出して第３板部(23c)側へ折り曲げられている。
【００１８】
上記本発明の梱包用内箱によれば、付属物品収納室(３)の両側に左右一対の側壁片(35)(36)が配置されているので、付属物品収納室(３)に収容されている付属物品が付属物品収納室(３)から脱出する方向(左右方向)に移動せんとしても、該付属物品はこれらの側壁片(35)(36)によって受け止められる。
【００１９】
具体的な態様において、前記第２板部(23b)の開口縁から付属物品収納室側へ突出して前記一対の側壁片(35)(36)の内側へ折り曲げられた一対の舌片(33)(34)を具えている。
該具体的態様によれば、一対の側壁片(35)(36)が付属物品によって強い押圧力を受けたとしても、該側壁片(35)(36)は一対の舌片(33)(34)によって受け止められるので、一対の側壁片(35)(36)が９０度を越えて大きく折れ曲がることはない。
【発明の効果】
【００２０】
本発明に係る梱包用内箱によれば、付属物品収納室に収容されている付属物品を付属物品収納室内に確実に保持することが出来る。
【図面の簡単な説明】
【００２１】
【図１】図１は、本発明の一実施形態である内箱の斜視図である。
【図２】図２は、該内箱の展開図である。
【図３】図３は、該内箱の付属物品収納室に付属物品が収納されている状態を示す平面図である。
【図４】図４は、従来の内箱の斜視図である。
【図５】図５は、該内箱の展開図である。
【発明を実施するための形態】
【００２２】
以下、本発明の実施の形態につき、図面に沿って具体的に説明する。
本発明の一実施形態である内箱(２)は、図１に示す如く段ボール紙製の外箱(１)の内部に設置されて、例えばカメラ等の主物品の収納室(20)と、例えば電池パック等の付属物品の収納室(３)とを形成するものである。
【００２３】
該内箱(２)は、底壁(21)と、該底壁(21)の４つの外縁から立ち上がる第１側壁(22)、第２側壁(23)、第３側壁(24)及び第４側壁(25)を具え、これらの側壁(22)〜(25)は隣接するどうしが互いに連結されている。
そして、これらの側壁(22)〜(25)の内側に主物品収納室(20)が形成されると共に、第２側壁(23)の外面には、外箱(１)の内面によって覆われるべき付属物品収納室(３)が凹設されている。
【００２４】
該内箱(２)は、図２に示す段ボール紙製の板材を折り曲げて形成される。尚、図２において実線は切断線を示し、破線は折り曲げ線を示している。
該板材は略十字状を呈し、前記底壁(21)となる矩形板材部分(210)の４つの外縁に、前記第１側壁(22)となる第１板材部分(220)と、前記第２側壁(23)となる第２板材部分(230)と、前記第３側壁(24)となる第３板材部分(240)と、前記第４側壁(25)となる第４板材部分(250)とを突設したものである。
【００２５】
第１板材部分(220)は、第１板部(22a)、第２板部(22b)及び第３板部(22c)から構成され、図１に示す折り曲げ状態で、第１板部(22a)は、矩形板材部分(210)の１つの外縁から垂直方向に立ち上がり、第２板部(22b)は、第１板部(22a)の上端縁から主物品収納室(20)側へ水平方向に折れ曲がり、第３板部(22c)は、第２板部(22b)の主物品収納室(20)側の端縁から底壁(21)側へ垂直方向に垂れ下がり、該第３板部(22c)は、第３側壁(24)及び第４側壁(25)と連結される。
【００２６】
第２板材部分(230)は、第１板部(23a)、第２板部(23b)及び第３板部(23c)から構成され、図１に示す折り曲げ状態で、第１板部(23a)は、矩形板材部分(210)の１つの外縁から垂直方向に立ち上がり、第２板部(23b)は、第１板部(23a)の上端縁から主物品収納室(20)側へ水平方向に折れ曲がり、第３板部(23c)は、第２板部(23b)の主物品収納室(20)側の端縁から底壁(21)側へ垂直方向に垂れ下がり、該第３板部(23c)は、第３側壁(24)及び第４側壁(25)と連結される。
【００２７】
第３板材部分(240)は、第１板部(24a)及び第２板部(24b)から構成され、図１に示す折り曲げ状態で、第１板部(24a)は、矩形板材部分(210)の１つの外縁から垂直方向に立ち上がり、第２板部(24b)は、第１板部(24a)の上端縁にて外側へ折り返されて垂直方向に垂れ下がり、両板部(24a)(24b)は、第１側壁(22)及び第２側壁(23)と連結される。
【００２８】
第４板材部分(250)は、第１板部(25a)及び第２板部(25b)から構成され、図１に示す折り曲げ状態で、第１板部(25a)は、矩形板材部分(210)の１つの外縁から垂直方向に立ち上がり、第２板部(25b)は、第１板部(25a)の上端縁にて外側へへ折り返され垂直方向に垂れ下がり、両板部(25a)(25b)は、第１側壁(22)及び第２側壁(23)と連結される。
【００２９】
又、第２側壁(23)を形成すべき第２板材部分(230)には図２に実線で示す切り込み(Ａ，Ｂ)が施されると共に、破線で示す折り曲げ線(Ｃ，Ｄ，Ｅ，Ｆ，Ｇ)が例えばミシン目加工によって施されており、図１に示す折り曲げ状態で、第１板部(23a)及び第２板部(23b)の一部を主物品収納室(20)側へ折り込むことによって、付属物品収納室(３)の底壁(31)と背壁(32)とが形成されると共に、左右一対の舌片(33)(34)と左右一対の側壁片(35)(36)とが形成される。
付属物品収納室(３)は、第１板部(23a)と第２板部(23b)に開口している。
【００３０】
ここで、一対の側壁片(35)(36)はそれぞれ、第１板部(23a)の側方の開口縁(折り曲げ線Ｆ，Ｇ)から付属物品収納室(３)側へ斜め方向に突出して第３板部(23c)側へ折り曲げられ、背壁(32)に向かって斜め方向に突出している。
又、一対の舌片(33)(34)は、第２板部(23b)の側方の開口縁から付属物品収納室(３)側へ突出して、一対の側壁片(35)(36)の内側に折り曲げられている。
【００３１】
付属物品収納室(３)は、第１板部(23a)と第２板部(23b)に開口しているが、内箱(２)を外箱(１)の内部に設置することにより、これらの開口は外箱(１)の内面によって塞がれることになる。
【００３２】
上記内箱(２)によれば、図３に示す如く、付属物品収納室(３)の両側に左右一対の側壁片(35)(36)が配置されているので、付属物品収納室(３)に収容されている電池パック(４)が左右方向に移動せんとしても、該電池パック(４)はこれらの側壁片(35)(36)によって受け止められる。
【００３３】
ここで、一対の側壁片(35)(36)が電池パック(４)によって強い押圧力を受けたとしても、該側壁片(35)(36)は一対の舌片(33)(34)によって受け止められるので、一対の側壁片(35)(36)が９０度を越えて折れ曲がることはない。
【００３４】
尚、図１に示される様に、付属物品収納室(３)の背壁(32)の両側には一対の開口(37)(38)が形成されることになるが、該開口(37)(38)の前方には一対の側壁片(35)(36)が存在するので、該開口(37)(38)へ電池パック(４)がはまり込むことはない(図３参照)。
【００３５】
従って、上記内箱(２)によれば、付属物品収納室(３)に収容されている電池パック(４)を付属物品収納室(３)内に確実に保持することが出来る。
又、付属物品収納室(３)内の電池パック(４)が一対の側壁片(35)(36)によって受け止められている状態で、該側壁片(35)(36)が緩衝作用を発揮するので、電池パック(４)を付属物品収納室(３)内にソフトに保持することが出来る。
【００３６】
尚、本発明の各部構成は上記実施の形態に限らず、特許請求の範囲に記載の技術的範囲内で種々の変形が可能である。
又、本発明は、カメラ本体を主物品とし、電池パックを付属物品とする梱包用内箱に限らず、各種の主物品及び付属物品を収納すべき梱包用内箱に実施することが出来る。
【符号の説明】
【００３７】
(１)  外箱
(２)  内箱
(20)  主物品収納室
(21)  底壁
(22)  第１側壁
(23)  第２側壁
(24)  第３側壁
(25)  第４側壁
(３)  付属物品収納室
(31)  底壁
(32)  背壁
(33)  舌片
(34)  舌片
(35)  側壁片
(36)  側壁片
(４)  電池パック
【図１】
2014019498.tif 000003
【図２】
2014019498.tif 000004
【図３】
2014019498.tif 000005
【図４】
2014019498.tif 000006
【図５】
2014019498.tif 000007